(57)【要約】【課題】手作業であっても、予め設計された螺旋角に従いＩＣタグラベルを柱形状の被着体に螺旋状に巻き付けることができる工夫が施されたＩＣタグラベルを提供する。【解決手段】本考案のＩＣタグラベル１１は、柱形状の被着体２０に貼り付けるための粘着層を有し、ＩＣタグラベル１１の長手方向の天地には、設計された螺旋角θでＩＣタグラベル１１を被着体２０に貼り付けたとき、被着体２０の軸線方向を示す目印１１１が付けられている。【選択図】図３
0003169415.tif 000002
【実用新案登録請求の範囲】
【請求項１】
ＩＣチップおよびＩＣチップと接合したアンテナを備え、予め設計された螺旋角で柱形状の被着体に貼り付けるための粘着層を有するＩＣタグラベルであって、前記ＩＣタグラベルの長手方向に前記被着体の軸線方向を示す目印を天地に付けたことを特徴とするＩＣタグラベル。
【請求項２】
前記ＩＣタグラベルの長手方向の天辺又は地辺に、前記ＩＣタグラベルを重ね貼りするための切り込みを設けたことを特徴とする請求項１に記載のＩＣタグラベル。
【請求項３】
前記ICタグラベルの短手方向の中心線に対して斜めに前記アンテナを配置していることを特徴とする、請求項１又は請求項２に記載のＩＣタグラベル。
【考案の詳細な説明】
【技術分野】
【０００１】
本考案は、ＲＦＩＤシステム（RFID :Radio Frequency Identification）で利用されるＩＣタグに関する。
【背景技術】
【０００２】
データ通信を非接触で行う認識システムであるＲＦＩＤシステム（RFID :Radio Frequency Identification）は、流通業、販売業など様々な分野での利用が検討され、ＲＦＩＤシステムを利用する際、識別コードが記憶されたＩＣチップを実装したＩＣタグを識別対象となる被着体に付けることが必要になり、ＩＣタグを被着体に付ける方法としては、ＩＣタグを被着体に埋め込むなどの方法もあるが、ＩＣタグをラベル化したＩＣタグラベルを被着体に貼り付ける方法が広く用いられている。
【０００３】
ＩＣタグをラベル化したＩＣタグラベルを被着体に貼り付ける際、ＩＣタグラベルのサイズと被着体のサイズが問題になる。ＩＣタグラベルに実装されるＩＣチップのサイズは１ｍｍ角以下と小さく問題にならないが、ＩＣタグに実装されるアンテナのサイズは、例えば、ＵＨＦ帯の場合、６０ｍｍから１５０ｍｍ程度になるため、円柱や角柱など柱形状の被着体の周面にＩＣタグラベルを貼り付ける場合、ＩＣタグラベルを柱形状の被着体に巻き付けて貼ることが必要になる。
【０００４】
ＩＣタグラベルを被着体に巻き付けて貼る発明としては、例えば、特許文献１において、ケーブル状の被着体の断面の周方向に巻き付けたケーブルが開示されている。また、特許文献２，３で、螺旋状にICタグラベルを巻き付けたケーブルが開示されている。
【０００５】
なお、特許文献２，３では、複数のICタグが実装されたテープをケーブルに螺旋状に巻き付けているが、一つのICタグが実装されたラベルの場合でも、ラベルの横方向のサイズに対して、柱形状の被着体の径が小さい場合、ICタグラベルを螺旋状に巻き付けることが必要になる。
【先行技術文献】
【特許文献】
【０００６】
【特許文献１】特開２００９−３４９０号公報
【特許文献２】特開２００５−３４７１３７号公報
【特許文献３】特開２０１１−１０３８２号公報
【考案の概要】
【考案が解決しようとする課題】
【０００７】
手作業によりＩＣタグラベルを螺旋状に巻き付けることを考えた場合、予め設計された螺旋角よりも小さい角度でＩＣタグラベルが螺旋状に巻き付けられてしまうと、ＩＣタグラベルを螺旋状に巻き付けた状態におけるアンテナの間隔が短くなり、アンテナの相互干渉によりアンテナ特性が劣化してしまうため、手作業であっても、予め設計された螺旋角に従いＩＣタグラベルを柱形状の被着体に螺旋状に巻き付けることができる工夫が必要とされていた。
【０００８】
そこで、本考案は、手作業であっても、予め設計された螺旋角に従いＩＣタグラベルを柱形状の被着体に螺旋状に巻き付けることができる工夫が施されたＩＣタグラベルを提供することを目的とする。
【課題を解決するための手段】
【０００９】
本考案は上述した課題を解決するためになされたものであって、本考案の請求項１に係るＩＣタグラベルは、ＩＣチップおよびＩＣチップと接合したアンテナを備え、予め設計された螺旋角で柱形状の被着体に貼り付けるための粘着層を有するＩＣタグラベルであって、前記ＩＣタグラベルの長手方向に前記被着体の軸線方向を示す目印を天地に付けたことを最も主要な特徴とする。
【００１０】
また、本考案の請求項２に係るＩＣタグラベルは、前記ＩＣタグラベルの長手方向の天辺又は地辺に、前記ＩＣタグラベルを重ね貼りするための切り込みを設けたことを特徴とする請求項１に記載のＩＣタグラベルである。
【００１１】
更に、本考案の請求項３に係るＩＣタグラベルは、前記ＩＣタグラベルの短手方向の中心線に対して斜めに前記アンテナを配置していることを特徴とする、請求項１又は請求項２に記載のＩＣタグラベルである。
【考案の効果】
【００１２】
本考案のＩＣタグラベルには、設計された螺旋角でＩＣタグラベルを柱形状の被着体に貼り付けたとき、柱形状の被着体の軸線方向を示す目印が天地に付けられているため、天地それぞれに付けられた目印が軸線方向に合うように、本考案のＩＣタグラベルを柱形状の被着体に仮止めしてから、ＩＣタグラベルを螺旋状に巻き付ければ、設計された螺旋角に従いＩＣタグラベルを柱形状の被着体に螺旋状に巻き付けることができる。
【００１３】
また、本考案の請求項２に係るＩＣタグラベルのように、ＩＣタグラベルの長手方向の天辺又は地辺に、ＩＣタグラベルを重ね貼りするための切り込みを設けておけば、ＩＣタグラベルの幅より密にＩＣタグラベルを巻き付けることが可能となると共に、重ね貼られた箇所がＩＣチップを保護するように取り囲むようになる。
【００１４】
また、本考案の請求項３に係るＩＣタグラベルのように、ＩＣタグラベルの短手方向の中心線に対して斜めにアンテナを配置することで、ＩＣタグラベルを巻き付ける際の螺旋角よりもアンテナの螺旋角を大きくすることができ、ＩＣタグラベルを螺旋状に巻き付けた際のアンテナの間隔は長くなり、アンテナの相互干渉によるアンテナ特性の劣化を防止できる。
【図面の簡単な説明】
【００１５】
【図１】本考案に係るＩＣタグラベルを被着体に螺旋状に巻き付けた状態を説明する図。
【図２】実施例１のＩＣタグラベルを説明する図。
【図３】実施例１のＩＣタグラベルを被着体に仮止めした状態を説明する図。
【図４】実施例１のＩＣタグラベルを被着体に巻き付ける作業を説明する図。
【図５】実施例２のＩＣタグラベルを説明する図。
【図６】実施例２のＩＣタグラベルを被着体に仮止めした状態を説明する図。
【図７】実施例２のＩＣタグラベルを被着体に巻き付ける作業を説明する図。
【図８】被写体に巻き付けられたときのＩＣチップの近傍の断面を模式化した図。
【図９】実施例３のＩＣタグラベルを説明する図。
【図１０】実施例４のＩＣタグラベルを説明する図
【考案を実施するための形態】
【００１６】
ここから、本考案に係るＩＣタグラベルについて説明する。図１は、本考案に係るＩＣタグラベル１０を柱形状の被着体（以下、単に「被着体」と略す）に螺旋状に巻き付けた状態を説明する図で、図１（ａ）は、円柱である被着体２０にＩＣタグラベル１０を螺旋状に巻き付けた状態で、図１（ｂ）は、角柱である被着体２０にＩＣタグラベル１０を螺旋状に巻き付けた状態である。
【００１７】
本考案に係るＩＣタグラベル１０の形状は矩形で、ＩＣタグラベル１０には、被着体２０に貼り付けるための粘着層を有し、無線周波数帯としてＵＨＦ帯を利用するＩＣチップ１０２がＩＣタグラベル１０の中心部に実装され、線状のアンテナ１０３が長手方向に沿って実装されている。
【００１８】
更に、ＩＣタグラベル１０の表面には、設計された螺旋角θでＩＣタグラベル１０を被着体２０に手作業で巻き付けられるようにするため、設計された螺旋角θでＩＣタグラベル１０を被着体２０に貼り付けたとき、被着体２０の軸線方向を示す目印１０１が長手方向の天地に付けられている。
【００１９】
図１（ａ）、（ｂ）に図示したように、ＩＣタグラベル１０が貼られる被着体２０には、直線や文字などの図柄２０ａが軸線方向に沿って設けられることが多いため、ＩＣタグラベル１０の天地に付けられたそれぞれの目印１０１を該図柄２０ａに合わせてＩＣタグラベル１０を被着体２０に仮留めしてから、ＩＣタグラベル１０を被着体２０に巻き付ければ、ＩＣタグラベル１０の目印１０１を該図柄２０ａに合わせる際の誤差は生じるものの、設計された螺旋角θでＩＣタグラベル１０を容易に被着体２０に巻き付けることが可能になる。
【００２０】
なお、ＩＣタグラベルを螺旋状に巻き付ける際の螺旋角θは、被着体２０に巻かれたアンテナ１０３が相互干渉しない間隔が開くように設計しておくと、ＩＣタグラベル１０を被着体２０に螺旋状に巻き付けても、アンテナ１０３の相互干渉によるアンテナ特性の劣化を防止できる。
【００２１】
また、本明細書の図では、ＩＣタグラベル１０の表面からアンテナ１０３及びＩＣチップ１０２が見えるかのように記載しているが、これは、ＩＣタグラベル１０に実装されているアンテナ１０３及びＩＣチップ１０２を分かり易くしているのに過ぎず、実際は、ＩＣタグラベル１０に実装されているアンテナ１０３及びＩＣチップ１０２は隠蔽されている。
【実施例１】
【００２２】
実施例１は、ＩＣタグラベルの幅通りにＩＣタグラベルを巻き付ける実施例である。図２は、実施例１のＩＣタグラベル１１を説明する図で、図２（ａ）は、実施例１に係るＩＣタグラベル１１の表面を説明する図で、図２（ｂ）は、実施例１に係るＩＣタグラベル１１の層構成を説明する図である。
【００２３】
ＩＣタグラベル１１の層構成は様々あるが、実施例１の層構成は、図２（ｂ）に図示したように、ＩＣタグラベル１１の表面になる紙層１１ａ、ＩＣチップ１１２等を保護するためのカバーフィルム１１ｂ、ＩＣタグラベル１１のベースとなるベースフィルム１１ｃ、そして、被着体２０に貼り付けるための粘着層１１ｄとから構成され、ベースフィルム１１ｃ上に接着層１１ｅを介して線状のアンテナ１１３が形成され、このアンテナ１１３には導電性接着層１１ｆを介してＩＣチップ１１２が接続されている。
【００２４】
また、図２（ａ）で図示したように、実施例１のＩＣタグラベル１１の表面には、ＩＣタグラベル１１の長手方向において間隔ｄｘを開けて目印１１１が天地に印刷され、この間隔ｄｘは、設計された螺旋角θでＩＣタグラベル１１を被着体２０に巻き付けたときに、天地に印刷された目印１１が被着体２０の軸線方向を示すように設計されている。
【００２５】
なお、図２（ａ）では、ＩＣタグラベル１１の長手方向のほぼ中心に目印１１１を印刷しているが、ＩＣタグラベル１１の長手方向において間隔ｄｘが開いていれば、目印１１１を印刷する長手方向の位置は任意でよい。
【００２６】
図３は、実施例１のＩＣタグラベル１１を被着体２０に仮止めした状態を説明する図である。図３からわかるように、実施例１において、天辺の目印１１１と地辺の目印１１１の長手方向の間隔ｄｘは、被着体２０の周囲長Ｌを長辺とする直角三角形と目印１１１間を結ぶ直線を長辺とする直角三角形が相似であることに着目し、数式１で求めることができる。
【数１】
0003169415.tif 000003
【００２７】
図４は、実施例１のＩＣタグラベル１１を被着体２０に巻き付ける作業を説明する図である。実施例１のＩＣタグラベル１１を被着体２０に巻き付ける際、図４（ａ）に図示したように、被着体２０の軸線方向に沿って設けられた図柄２０ａに、ＩＣタグラベル１１の天地に印刷された目印１１１それぞれを合わせた状態でＩＣタグラベル１１を仮留めしておき、図４（ｂ）に図示したように、ＩＣタグラベル１１の右側を被着体２０に左周りで巻き付けて貼り付け、更に、図４（ｃ）に図示したように、ＩＣタグラベル１１の左側を被着体２０に右回りで巻き付けて貼り付けることで、設計された螺旋角θでＩＣタグラベル１１が被着体２０に螺旋状に巻き付けられる。
【実施例２】
【００２８】
実施例２は、ＩＣタグラベルの幅より密に巻き付ける実施例で、ＩＣタグラベルの幅より密に巻き付けることで、重ね貼られた箇所がＩＣチップ部分を保護するように取り囲むようになる。
【００２９】
図５は、実施例２のＩＣタグラベル１２を説明する図である。なお、実施例２のＩＣタグラベル１２の層構成は実施例１のＩＣタグラベル１１と同じであるため、ここでは説明を省く。図５で図示したように、実施例２のＩＣタグラベル１２にはＩＣチップ１２２や線状のアンテナ１２３が実装され、実施例２のＩＣタグラベル１２の表面には、ＩＣタグラベル１２の長手方向において間隔ｄｘを開けて天地に印刷される目印１２１に加え、実施例２のＩＣタグラベル１２の天辺には、ＩＣタグラベル１２を重ね合わせるための一つの切れ込み１２４が加工される。
【００３０】
実施例２のＩＣタグラベル１２に加工する切り込み１２４の長さはＩＣタグラベル１２を重ね合わせる幅になる。また、切れ込み１２４を加工する位置は螺旋方向に依存し、螺旋方向が右上がりの場合は、図５に図示したようにＩＣチップ１２２の左側の天辺又はＩＣチップ１２２の右側の地辺に加工すればよく、螺旋方向が右下がりの場合は、ＩＣチップ１２２の左側の地辺又はＩＣチップ１２２の右側の天辺に加工する。
【００３１】
実施例２においても、天辺の目印１２１と地辺の目印１２１を付ける際の長手方向の間隔ｄｘは、設計された螺旋角θでＩＣタグラベル１２を被着体２０に巻き付けたときに、天地に印刷された目印１２１が被着体２０の軸線方向を示すように設計されている。
【００３２】
図６は、実施例２のＩＣタグラベル１２を被着体２０に仮止めした状態を説明する図である。図６からわかるように、天辺の目印１２１と地辺の目印１２１の左右方向の間隔ｄｘは、数式１を応用して算出される間隔ｄｘ１と、平行線に係る三角形の相似性を利用して間隔ｄｘ１から算出される間隔ｄｘ２を加算した値になり、間隔ｄｘ１及び間隔ｄｘ２は数式２で求めることができる。
【数２】
0003169415.tif 000004
【００３３】
図７は、実施例２のＩＣタグラベル１２を被着体２０に巻き付ける作業を説明する図である。実施例２のＩＣタグラベル１２を被着体２０に巻き付ける際、図７（ａ）に図示したように、被着体２０の図柄２０ａにＩＣタグラベル１２の天地に印刷された目印１２１それぞれを合わせ、ＩＣタグラベル１２を仮留めしておき、図７（ｂ）に図示したように、ＩＣタグラベル１２の右側を被着体２０に左周りで巻き付けて、ＩＣタグラベル１２の右側の地辺を切り込み１２４に差し込んだ後、図７（ｃ）に図示したように、ＩＣタグラベル１２の右側を被着体２０に左周りで貼り付け、更に、図７（ｄ）に図示したように、ＩＣタグラベル１２の左側を被着体２０に右回りで巻き付けて貼り付けることで、ＩＣタグラベル２０の幅より密に、設計された螺旋角θでＩＣタグラベル１２が被着体２０に螺旋状で巻き付けられる。
【００３４】
図８は、被写体２０に巻き付けられたときのＩＣチップ１２２の近傍の断面を模式化した図である。図８に図示したように、ＩＣタグラベル１２の幅より密にＩＣタグラベル１２を被着体２０に巻き付けることで、重ね貼られた箇所１２５がＩＣチップ１２２を保護するように取り囲むようになる。
【実施例３】
【００３５】
実施例３は、実施例１のＩＣタグラベル１１において、短手方向の中心線に対してアンテナを斜めに配置した実施例である。図９は、実施例３のＩＣタグラベル１３を説明する図である。なお、実施例３のＩＣタグラベル１３の層構成は実施例１のＩＣタグラベル１１と同じであるため、ここでは説明を省く。
【００３６】
図９（ａ）で図示したように、実施例３のＩＣタグラベル１３にはＩＣチップ１３２や線状のアンテナ１３３が実装され、実施例３のＩＣタグラベル１３の表面には、ＩＣタグラベル１３の長手方向において間隔ｄｘを開けて目印１３１が天地に印刷され、ここでは、ＩＣタグラベル１３の短手方向の中心線に対して右上がりになるようにアンテナ１３３が配置されている。
【００３７】
アンテナ１３３の傾斜方向は、ＩＣタグラベル１３を被着体２０に巻く際の螺旋方向に依存し、アンテナ１３３は、ICタグラベル１３を右上がりに巻く場合は右上がりに、ICタグラベル１３を右下がりに巻く場合は右下がりに配置する。
【００３８】
被着体２０にＩＣタグラベル１３を螺旋状に巻き付けた際、アンテナ１３３の間隔が近すぎると、アンテナ１３３の相互干渉によってアンテナ特性が劣化することがあるが、図９（ａ）に図示したように、ＩＣタグラベル１３の螺旋方向に合わせ、短手方向の中心線に対して斜めにアンテナ１３３を実装することで、被着体２０にＩＣタグラベル１３を螺旋状に巻き付けた際、アンテナ１３３の間隔が離れるようになる。
【００３９】
図９（ｂ）は、実施例３のＩＣタグラベル１３を被着体２０に巻き付けた状態を説明する図である。図９（ａ）に図示したように、ＩＣタグラベル１３に実装されるアンテナ１３３を右上がりになるように配置しておくことで、アンテナ１３３の螺旋角は、ＩＣタグラベル１３を巻き付ける際の螺旋角θよりも大きくなるため、ＩＣタグラベル１３の右端又は左端になるほど、アンテナ１３３の間隔は長くなり、アンテナ１３３の相互干渉を減らすことができる。
【実施例４】
【００４０】
実施例４は、実施例２のＩＣタグラベル１２において、短手方向の中心線に対してアンテナを斜めに配置した実施例である。
【００４１】
図１０は、実施例４のＩＣタグラベル１４を説明する図である。なお、実施例４のＩＣタグラベル１４の層構成は実施例１のＩＣタグラベル１１と同じであるため、ここでは説明を省く。
【００４２】
図１０（ａ）で図示したように、実施例４のＩＣタグラベル１４にはＩＣチップ１４２や線状のアンテナ１４３が実装され、実施例４のＩＣタグラベル１４の表面には、ＩＣタグラベル１４の長手方向において間隔ｄｘを開けて目印１４１が天地に印刷され、ここでは、螺旋方向を右上がりとしているため、ＩＣタグラベル１４に実装されるアンテナ１４３は右上がりになるように短手方向の中心線に対して斜めに配置されている。また、実施例２と同様に、実施例４のＩＣタグラベル１４の長手方向の天辺には、ＩＣタグラベル１４を重ね合わせるための一つの切れ込み１４４が加工される。
【００４３】
図１０（ｂ）は、実施例４のＩＣタグラベル１４を被着体２０に巻き付けた状態を説明する図である。図１０（ａ）に図示したように、ＩＣタグラベル１４に実装されるアンテナ１４３を右上がりになるように配置しておくことで、アンテナ１４３の螺旋角は、ＩＣタグラベル１４を巻き付ける際の螺旋角θよりも大きくなるため、ＩＣタグラベル１４の右端又は左端になるほど、アンテナ１４３の間隔は長くなり、アンテナ１４３の相互干渉を減らすことができる。
【００４４】
実施例２のように、ＩＣタグラベル１４の幅より密に巻き付けると、アンテナ１４３の間隔が狭まるため、ＩＣタグラベル１４の螺旋方向に合わせてアンテナ１４３を斜めに実装し、被着体２０にＩＣタグラベル１４を螺旋状に巻き付けた際、アンテナ１４３の間隔が離れるようにすることは有用になる。
【符号の説明】
【００４５】
１０、１１、１２，１３，１４  ＩＣタグ
１０１、１１１、１２１，１３１，１４１  目印
１０２、１１２、１２２，１３２，１４２  ＩＣチップ
１０３、１１３、１２３，１３３，１４３  アンテナ
１２４，１４４  切り込み
２０  被着体
【図１】
0003169415.tif 000005
【図２】
0003169415.tif 000006
【図３】
0003169415.tif 000007
【図４】
0003169415.tif 000008
【図５】
0003169415.tif 000009
【図６】
0003169415.tif 000010
【図７】
0003169415.tif 000011
【図８】
0003169415.tif 000012
【図９】
0003169415.tif 000013
【図１０】
0003169415.tif 000014